(57)【要約】  本発明は、哺乳動物用移植用臓器、特に腎臓の調製方法を提供することに関する。  本発明は、自己の間葉系幹細胞を分取し、これを妊娠哺乳動物宿主中の胎児又は妊娠哺乳動物の宿主から分離した胎児の所望部位に移植し分化を導き、その後発達した臓器を自己に戻すことを特徴とする自己臓器特に腎臓の自己移植のための手段を提供する。【特許請求の範囲】
【請求項１】
分取した哺乳動物由来の間葉系幹細胞を妊娠哺乳動物宿主中の胎児又は妊娠哺乳動物の宿主から分離した胎児に移植して該間葉系幹細胞の分化を導くことによる哺乳動物移植用の臓器の調製方法であって、該間葉系幹細胞の胎児への移植部位が中間中胚葉であり、移植時期は宿主免疫系が未だ免疫寛容の段階であることを特徴とする移植用臓器の調製方法。
【請求項２】
前記臓器が、腎臓である請求項１に記載の方法。
【請求項３】
前記哺乳動物由来の間葉系幹細胞を別途後腎形成間葉に移植し、メサンジウム細胞、尿細管上皮細胞、糸球体上皮細胞に分化させる請求項２に記載の方法。
【請求項４】
哺乳動物由来の間葉系幹細胞の中間中胚葉への移植によって、尿管芽由来の集合管及び尿管に分化させる請求項１〜３の何れか一に記載の方法。
【請求項５】
前記宿主が、ヒトの腎臓と近似した大きさをもつ哺乳動物である請求項１〜４のいずれか一に記載の方法。
【請求項６】
前記宿主が、ブタである請求項５に記載の方法。
【請求項７】
哺乳動物由来の間葉系幹細胞の胎児への移植が、経子宮アプローチによって該細胞を宿主に移植する請求項１〜６のいずれか一に記載の方法。
【請求項８】
哺乳動物由来の間葉系幹細胞の胎児への移植が、胎児を子宮から分離し、該細胞を該胎児に移植し、その後、全胚培養を用いてin vitroでさらに発達させる請求項１〜７のいずれか一に記載の方法。
【請求項９】
哺乳動物由来の間葉系幹細胞が、ヒト間葉系幹細胞である、請求項１〜８に記載の方法。
【発明の詳細な説明】
【技術分野】
【０００１】
本発明は、哺乳動物移植用臓器、特に腎臓の調製方法を提供するものである。
なお、本出願は、参照によりここに援用されるところ、日本特許出願番号2006-118799からの優先権を請求する。
【背景技術】
【０００２】
臓器再生は、最近新しい治療戦略として多くの注目を集めている。再生医療の可能性は、各種組織幹細胞の発見と、それらを用いたニューロン（非特許文献１）、β細胞（非特許文献２）、筋細胞（非特許文献３）、血管（非特許文献４）などの再生による治療効果が報告されると共に、しだいに認識されるようになっている。しかし今日までこのような戦略を用いて成功した例は、細胞及び単純な組織に限定されている。特に腎臓や肺臓など解剖学的に複雑な臓器は、いくつかの異なった細胞から成っており、高度な３次元的構造及び細胞情報伝達系を有するために、幹細胞ベースの再生技術ではより対応が困難であることが考えられる。【０００３】
一方、これらの複雑な臓器は、移植医療の進歩とともにこれまで改善が期待できない臓器障害に対し移植により完治が期待できるようになった。しかし世界的に慢性的なドナー不足であり、また移植がうまくいった場合でも拒絶反応回避のための免疫抑制剤の長期服用が必要となり、これに伴う副作用と戦い続けなければならない（非特許文献５）。【０００４】
従って究極的な治療目的の一つは自己組織幹細胞から自己臓器を作製し、自己移植片としてin vitro由来の臓器を再び個々のドナーに移植して戻すことである。
成人骨髄に認められるヒト間葉系幹細胞（hMSCs）は最近、その微小環境に依存して可塑性を維持し、いくつかの異なった細胞型に分化することが明らかとなった（非特許文献６）。hMSCsは、胚性幹細胞（ES細胞）と比較して、自己骨髄から分離することができ、重大な倫理的問題も免疫学的結果も伴わずに治療に応用が可能である（非特許文献７）。
【非特許文献１】J. Neurosci. Res.69,925-933(2002)
【非特許文献２】Nat. Med. 6, 278-282(2000)
【非特許文献３】Nature 410,701-705(2001)
【非特許文献４】Nat. Med. 5, 434-438(1999)
【非特許文献５】Transplantation 77, S41-S43(2004)
【非特許文献６】Science 276, 71-74(1997)
【非特許文献７】Birth Defects Res. 69, 250-256(2003)
【非特許文献８】Organogenesis of the Kidney (Cambridge Univ.Press, Cambridge,U.K.) (1987)
【非特許文献９】Exp. Nephrol. 10,102-113(2002)
【非特許文献１０】Am. J. Kidney Dis. 31, 383-397(1998)
【非特許文献１１】J. Neurosci. Res.60, 511-519(2000)
【非特許文献１２】Blood 98, 57-64 (2001)
【非特許文献１３】J. Am. Soc. Nephrol.11, 2330-2337(2001)
【非特許文献１４】Methods 24, 35-42(2001)
【非特許文献１５】J. Clin. Invest.105, 868-873(2000)
【非特許文献１６】J. Neurol. Sci. 65, 169-177(1984)
【非特許文献１７】Kidney Int. 64, 102-109(2003)
【非特許文献１８】Cytometry 12, 291-301(1991)
【非特許文献１９】Dev. Growth Differ. 37, 123-132(1995)
【非特許文献２０】Am. J. Physiol. 279,F65-F76(2000)
【非特許文献２１】Eur. J. Physiol. 445, 321-330(2002)
【非特許文献２２】Proc. Natl. Acad.Sci.USA 97, 7515-7520(2000)
【非特許文献２３】Nature 418, 41-49(2002)
【非特許文献２３】Am. J. Physiol. 280,R1865-1869(2001)
【非特許文献２４】Methods 24, 35-42(2001)
【発明の開示】
【発明が解決しようとする課題】
【０００５】
本発明は、哺乳動物由来の間葉系幹細胞を利用して、腎臓などの複雑な器官の創生を達成する手段を提供することを課題とする。
【課題を解決するための手段】
【０００６】
本発明の対象とする臓器の一つは、腎臓である。腎臓は複雑な器官を代表するもので、いくつかの異なった細胞型からなり、高度の三次元構造を有しており、また胚内での発生経過が十分に研究されている。腎臓の発生は、腎形成索（非特許文献８）の尾部で後腎間葉が近接のウォルフ管を誘導し、尿管芽（非特許文献９）を生成するときに開始する。成長は尿管芽と後腎間葉（非特許文献１０）との間の相互の上皮-間葉シグナル伝達の結果として進行する。哺乳動物由来の間葉系幹細胞が腎の成長に関与しうるかどうかを検討するために、先ず、齧歯類の腎原基形成直前の胚段階で抽出したウォルフ管、または確立した後腎原基とともにヒト間葉幹細胞（hMSCs）を共培養した。しかし、この方法は腎の臓器形成、または成長中の齧歯類後腎へのhMSCsの統合を達成するには十分ではなかった。この検討により、臓器形成のために必要な全てのシグナルに暴露できるように、hMSCsは特定の胚ニッチに置かなければならないことを認識した。そして、本発明者は、hMSCsを成長中胎児の腎形成部位に移植することにより最もよく臓器形成を達成することができることを見出し、本発明の一を完成した。つまり、間葉系幹細胞を後腎形成間葉に移植することで、メサンジウム細胞、尿細管上皮細胞、糸球体上皮細胞に分化させることが可能であり、さらに間葉系幹細胞を中間中胚葉に移植することで、尿管芽由来の集合管及び尿管に分化させることが可能である。【０００７】
出生前に経子宮アプローチによって細胞を器官形成の正確な部位に移植することは困難である。また細胞移植のために一旦胎児を単離すると、胎児を再び子宮に戻して成長させることはできない。本発明者らは細胞移植のために、胎児を子宮から分離し、全胚培養を用いてin vitroにて胎児が器官形成の初期段階を完了するまで成熟させ、その後器官培養およびレシピエントの腹腔内でさらに成長させた。本発明のその他において、この培養の組合せを用いることによりhMSCsは形態的に本来の腎細胞と同じ細胞に分化し、複雑な腎構造に寄与できることを見出し、さらにこの新規腎臓はろ過機能を持ち、レシピエントの血流を受け入れ尿を生成することが可能であることを示し、本発明を完成した。【０００８】
すなわち本発明は、
「１．分取した哺乳動物由来の間葉系幹細胞を妊娠哺乳動物宿主中の胎児又は妊娠哺乳動物の宿主から分離した胎児に移植して該間葉系幹細胞の分化を導くことによる哺乳動物移植用の臓器の調製方法であって、該間葉系幹細胞の胎児への移植部位が中間中胚葉であり、移植時期は宿主免疫系が未だ免疫寛容の段階であることを特徴とする移植用臓器の調製方法。
２．前記臓器が、腎臓である前項１に記載の方法。
３．前記哺乳動物由来の間葉系幹細胞を別途後腎形成間葉に移植し、メサンジウム細胞、尿細管上皮細胞、糸球体上皮細胞に分化させる前項２に記載の方法。
４．哺乳動物由来の間葉系幹細胞の中間中胚葉への移植によって、尿管芽由来の集合管及び尿管に分化させる前項１〜３の何れか一に記載の方法。
５．前記宿主が、ヒトの腎臓と近似した大きさをもつ哺乳動物である前項１〜４のいずれか一に記載の方法。
６．前記宿主が、ブタである前項５に記載の方法。
７．哺乳動物由来の間葉系幹細胞の胎児への移植が、経子宮アプローチによって該細胞を宿主に移植する前項１〜６のいずれか一に記載の方法。
８．哺乳動物由来の間葉系幹細胞の胎児への移植が、胎児を子宮から分離し、該細胞を該胎児に移植し、その後、全胚培養を用いてin vitroでさらに発達させる前項１〜７のいずれか一に記載の方法。
９．哺乳動物由来の間葉系幹細胞が、ヒト間葉系幹細胞である、前項１〜８に記載の方法。」からなる。
【発明の効果】
【０００９】
本発明は、自己臓器特に腎臓の自己移植のための新たな手段を提供した。つまり、自己の間葉系幹細胞を分取し、これを妊娠哺乳動物宿主中の胎児又は妊娠哺乳動物の宿主から分離した胎児の所望部位に移植し分化を導き、腎臓を創生、その後発達した腎臓を自己に戻すことが可能となった。
【図面の簡単な説明】
【００１０】
【図１−１】リレー培養を用いた腎臓原基の子宮外分化を示す図である。
【図１−２】リレー培養を用いた腎臓原基の子宮外分化を示す図である。尿細管形成および拡大尿管芽の分岐の程度を確認するため、ヘマトキシリン／エオジン染色(b)及びc-retに対するホールマウントin situハイブリダイゼーション(c)を示す。
【図２】培養由来の後腎におけるドナー由来細胞の割合及びそのDNA倍数性の評価を示す図である。Mは情報量の多いピークである。
【図３−１】移植hMSCsの腎臓構成細胞への分化を示す図である。リレー培養後に生じた後腎をX-galアッセイして、移植hMSCsを追跡したものである。
【図３−２】移植hMSCsの腎臓構成細胞への分化を示す図である。(b)連続切片を光学顕微鏡で検索したものである。(c)組織切片について、β-gal（左）、WT-1（右）の２色免疫蛍光染色を行ったものである。
【図３−３】移植hMSCsの腎臓構成細胞への分化を示す図である。リレー培養後に生じた後腎を消化し、単一細胞をFACS-ガラクトシダーゼアッセイしたものである。
【図４】分離した後腎におけるhMSCsの注入及び培養を示す図である。(a)は、６日間の器官培養後、得られた後腎をX-galアッセイしたものである。(b)は、RNAを抽出し、RT-PCRを行ったものである。
【図５−１】α-gal A欠損 Fabryマウスにおける治療的腎の再構成を示す図である。生じた後腎のα-gal A酵素生物活性を既述の通りフルオロメターで評価したものである。
【図５−２】α-gal A欠損Fabryマウスにおける治療的腎の再構成を示す図である。得られた後腎のGb3クリアランス能を確認するため、Gb3存在下で器官培養を実施し、後腎における蓄積をGb3に対する免疫染色により評価したものである。
【図６】大網中に移植された後腎の出現を示す図である。
【図７】大網中に移植された後腎(２週)の組織的分析を示す図である。
【図８】異なるステージの腎臓原基の大網への移植(２週)を示す図である。
【図９】改良リレー培養(２週)で生成した新規腎臓を示す図である。
【図１０】新規腎臓内にレシピエントからの血管が構築されていることを示す図である。
【図１１】大網中に移植した新規腎臓の電子顕微鏡写真を示す図である。
【図１２】改良リレー培養(２週)によって、LacZ陽性ヒト間葉系幹細胞からLacZラットに作製した新規腎臓の組織所見を示す図である。
【図１３】改良リレー培養(４週)によって、生成した新規腎臓を示す図である。
【図１４】新規腎臓からの尿様液を示す図である。
【図１５】蛍光実体顕微鏡でタイムラプス観察を行い、中間中胚葉に標識した物質の動きを追跡した図である。
【発明を実施するための最良の形態】
【００１１】
本発明は、分取した哺乳動物由来の間葉系幹細胞特にヒト間葉系幹細胞（hMSCs）を妊娠哺乳動物宿主中の胎児又は妊娠哺乳動物の宿主から分離した胎児に移植して分化を導くことによる哺乳動物特にヒト移植用の腎臓の調製方法である。【００１２】
本発明の移植用臓器の調製方法では、哺乳動物には例えば、ヒト、愛玩動物、例えばサル、ウシ、ヒツジ、ブタ、ヤギ、ウマ（特に競馬ウマ）、イヌ、ネコ、ウサギ、ハムスター、モルモット、ラット、マウスなどの臓器を調製可能である。宿主の好適な例としては、例えばブタが例示され、その他の好適な動物としては、遺伝子組換えされた、例えばトランスジェニック、ノックアウト、ノックイン等のブタが例示される。その他、有蹄動物、例えばウシ、ヒツジ、ブタ、ヤギ、ウマ等が例示される。さらに、マウスもしくは上記有蹄動物の遺伝子改変動物、特にトランスジェニック動物等が好適に例示される。【００１３】
間葉系幹細胞（hMSCs）は、移植対象のレシピエント由来の間葉系幹細胞が好ましい。例えば、レシピエントがヒトである場合には、ヒト骨髄、流血中又は臍帯血から分取される。特にレシピエント本人の骨髄、流血中又は臍帯血から分取される間葉系幹細胞（hMSCs）が好ましい。分取法は、一般的な外科的医学手法による。分取された細胞は、最適条件を選択し、好適には培養を２〜５細胞継代にする。さらに、好適にはhMSCsの形質転換させないまま培養を継続する目的でCambrex BioScience社製のヒト間葉系幹細胞専用培地キットを用いる。
間葉系幹細胞は、所望により、アデノウイルス及び/又はレトロウイルス等の手技を使い所望の遺伝子を導入される。例えば腎臓を所望する場合、腎臓形成を補助する目的にてグリア細胞由来神経栄養因子（Glial cellline-derived neurotrophic factor-GDNF）を発現するように遺伝子導入させる。これは腎臓が形成される直前の間葉組織はGDNFを発現するようになり、その受容体であるc-retを発現する尿管芽を引き込むことで腎臓発生の最初の重要なステップを完了させるからである。この形質転換により、注入幹細胞由来腎臓の形成率を5.0±4.2％から29.8±9.2％に上昇させることを確認している。【００１４】
調製された間葉系幹細胞は、次いで妊娠哺乳動物宿主中の胎児に移植される。すなわち、生体内の胎児に直接hMSCsを移植し、子宮内で腎臓の形成をさせることができる。移植の手法は一般的な外科的医学手法、例えばエコー下にてマイクロピペット等を使い行う。移植する細胞量は0.5〜1.0×10３個で十分である。すなわち、ブタなどの大型の妊娠哺乳動物の生体内の胚に、経子宮アプローチによって、直接間葉幹細胞を移植し、そのまま生体内で成長を続けさせ、移植用腎臓への成長をさせる。また、その後、以下に示す「全胚培養」又は「器官培養」の工程を追加することもできるが、移植用腎臓は十分に成長しているので特に必要がない。【００１５】
また、好ましくは、調製されたhMSCsは、妊娠哺乳動物宿主（子宮）から分離した胎児に移植し、その後、全胚培養を用いてin vitroにて器官形成（移植用腎臓）の初期段階を完了するまで胎児の体内で成熟させ、その後器官培養でさらに培養して、移植用腎臓となることができる。さらに、移植用腎臓をヒトを含む哺乳類の大網に移植する。【００１６】
調製されたhMSCsの胎児への移植の時期は、選択的である。ラットを使った実験ではE9〜12、特に10〜12、より好ましくはE10〜11.5が好適であった。大型の哺乳動物のブタ等でも、同様のステージ胚が好適に利用できる。しかし、その前後も条件を選定することによって適用可能である。しかし、重要なことは少なくとも移植時期は、胚の成長段階が、宿主の免疫系が未だ免疫寛容の段階であることである。【００１７】
なお、ホスト免疫系は全胚培養のこの段階では十分には成長しない。従って異種細胞に対して寛容性を有する。本発明は、免疫無防備の異種ホストの内在的な成長系を用いて自己間葉系幹細胞から自己器官を生成する方法を確立した。【００１８】
本発明の特徴は、間葉系幹細胞の胎児への移植の部位の選択である。つまり、間葉系幹細胞の胎児への移植部位が宿主における腎臓発生相当部位である。そのため、移植は、腎臓の相当部位であることが確定できる時期であることが必要となるが、腎臓の芽細胞が発達開始前の萌芽状態であることが好ましい。例えば、間葉系幹細胞を後腎形成間葉に移植し、メサンジウム細胞、尿細管上皮細胞、糸球体上皮細胞に分化させることができ、間葉系幹細胞の中間中胚葉への移植によって、尿管芽由来の集合管及び尿管に分化させることができる。【００１９】
本発明における「全胚培養」は、hMSCsを妊娠哺乳動物宿主（子宮）から分離した胎児に移植する場合に行う。全胚培養の概要は、子宮を母体から分離し、そこから胎児を子宮壁、脱落膜、ライヘルト膜を含む外膜層から切り離したものを取り出して得た胎児にhMSCsを移植し、これを培養瓶内等で培養する。しかしながら、本発明における「全胚培養」の目的である移植用腎臓を培養するとの目的を達成できるなら、上記培養方法に一部の改良及び／又は一部の工程を削除してもよい。より詳しくは、以下の通りであるが特に限定はされない。
若干変形を加えた以外は既述通りの方法（非特許文献２４）で全胚をin vitroで培養する。実体顕微鏡等を用いて、子宮を麻酔下母体より摘出する。（E:ステージ胚日）E9〜12、特にE10〜12、より好ましくはE10〜11.5、最も好ましくはE11.5のラット胚を子宮壁、脱落膜、ライヘルト膜を含む外膜層から切り離す。さらに、hMSCsを注入できるように卵黄嚢及び羊膜を開くが、絨毛膜尿膜胎盤はそのままの形で残す。hMSCsの注入の成功が確認できた胚を、遠心分離したラット血清に培養培地（ブドウ糖、ペニシリンＧ、ストレプトマイシン、及びアンフォテリシンB）3mlを入れた培養瓶内で培養する。培養瓶はインキュベータ（型番号 RKI10-0310、Ikemoto、東京）内で回転する。培養時間は、１２時間〜６０時間、好ましくは２４時間〜４８時間、最も好ましくは４８時間である。なお、好適には、一定培養時間後に、形態的・機能的に評価し、移植用腎臓の器官原器を確認する。この確認の後、該器官原器を胎児より分離し、好適には以下の器官培養を行う。【００２０】
本発明における「器官培養」の概要は、上記器官原器をフィルター上に置き、その下のdishにDMEMを加える。そして、該dishを５％CO2 インキュベーター中で培養する。培養時間は、１２時間〜１６８時間、好ましくは１８時間〜７２時間、より好ましくは２４時間〜４８時間、最も好ましくは２４時間である。すなわち、約２４時間の時点で大網に移植するのが一番効率が良い。また、培養温度は、２０度〜４５度、好ましくは２５度〜４０度、最も好ましくは３７度である。しかしながら、本発明における「器官培養」の目的である移植用腎臓を培養するとの目的を達成できるなら、上記培養方法に一部の改良及び／又は一部の工程を削除してもよい。詳細は、J. Clin. Invest.105, 868-873(2000)（非特許文献１５）に記載されているが、特に限定はされない。【００２１】
本発明のおける「リレー培養」の概要は、上記全胚培養を２時間〜６０時間行い、次に上記器官培養を１２時間〜１６８時間行うことである。
また、本発明における「改良型リレー培養」の概要は、上記全胚培養を２時間〜６０時間行い、次に上記器官培養を１２時間〜３６時間行い、さらに大網に移植することである。【００２２】
器官の大きさは、宿主動物の本来保持する器官に相同するので、例えばヒトにおいて十分な機能を発揮させうる腎臓を形成させるためには、宿主が、ヒトの臓器と近似の大きさをもつ哺乳動物であることが好ましい。ただし、全く相同の大きさを持つ必要はなく、腎臓であれば全体の１０分の１の機能があれば十分透析を行うことができ、十分生命を維持できる。この理由より最適な宿主はブタであり、ミニチュアブタの臓器の大きさで十分と判断される。【００２３】
かくして成長した腎臓は、機能確認がされた後、宿主から切り離され、レシピエントに供与されるが、この移植部位は、好ましくはレシピエントの大網中が好適な一例である。腎臓の場合、この移植によって、器官は生体内成長を継続し、腎臓機能を発揮するクローン腎臓の形成が完成する。
なお、本発明における「移植用腎臓をヒトを含む哺乳類の大網に移植する」方法は、通常の外科的処方により行うことができるが、例えば、鋭利な鑷子で移植する組織をつまみ、鑷子の先で大網の脂肪組織の表面にわずかに切り口を作りその中に組織を埋め込む方法である。また、内視鏡を利用して大網に移植することができる。【００２４】
なお、形成された腎臓が、宿主由来の抗原性物質を夾雑しないようにするためには、移植細胞を、以下のような形質に変換しておくことが有効である。つまり形成された腎臓内には間葉系幹細胞由来の細胞と宿主動物由来の細胞が混在する。混在した宿主由来細胞は腎臓をレシピエントに移植した際に、免疫拒絶反応を引き起こす可能性があるために、腎臓形成後、宿主由来細胞を徹底的に取り除く必要がある。これを解決するために、調節的にプログラム細胞死を誘導可能な宿主動物を作成し、この動物において腎臓を形成する。この宿主動物胚の当該部位に間葉系幹細胞を移植し、腎臓を作成した後、宿主細胞特異的に細胞死を誘導し、レシピエントに移植する前段階で宿主由来細胞を完全に取り除く。
【実施例】
【００２５】
以下、本発明の代表例としてラットを使用した腎臓の系により説明するが、本発明はこれに限定されるものではない。【００２６】
実験例１
（使用材料と方法）
１）実験動物
動物は、野生型Sprague-Dawleyラットを三共ラボサービス（東京）より購入し、使用した。東京慈恵会医科大学の実験動物センターにおいて、R.O. Brady氏（National Institute of Health、 Bethesda）より寄贈された交配ペアからFabryマウスの繁殖コロニーを確立した。膣栓を認めた日の中間点を0.5日とした。動物は換気（陽圧気流）ラックの中に収容し、病原菌のない状態下で交配、飼育した。全ての実験的手順は東京慈恵医科会大学動物実験委員会により承認された。【００２７】
２）hMSCsの培養及び操作
健常志願者の骨髄から得られたhMSCsを使用した。CD105、CD166-、CD29-、CD44-陽性及びCD14-、CD34-、CD45-陰性と確認された骨髄由来のhMSCsをCambrex BioScience 社（Walkersville、MD）から購入し、製造者の提供するプロトコールに従い、培養した。hMSCsは形質変化を避けるために５細胞継代以内で用いた。ヒトGDNFcDNA（AxCAhGDNF）を有する複製欠損組み換え型アデノウイルスを既述の通り作成し、精製した（非特許文献１１）。細菌性LacZ遺伝子（MFG-LacZ）を有する組み換え型レトロウイルスを産生するパッケージング細胞（Ψ-crip）はH.  Hamada（札幌医科大学）より寄贈された。アデノウイルス感染及びレトロウイルス感染を既述の通り実施した（非特許文献１２、１３）。細胞は100％ジメチルホルムアミド中で1,1'-dioctadecyl-3,3,3',3'-tetramethylindocarbocyanine（DiI（MolecularProbes）0.25％（wt/vol）を用いて標識し、マイクロピペットを用いて尿管芽の発芽部位に注入した。【００２８】
３）全胚培養及び器官培養
若干変形を加えた以外は既述通りの方法（非特許文献１４）で全胚をin vitroで培養した。実体顕微鏡を用いて、子宮を麻酔下母体より摘出した。（E:ステージ胚日）E11.5のラット胚およびE9.5マウス胚を子宮壁、脱落膜、ライヘルト膜を含む外膜層から切り離した。注入できるように卵黄嚢及び羊膜を開いたが、絨毛膜尿膜胎盤はそのままの形で残した。注入が成功した胚を、直ちに100％遠心分離したラット血清にブドウ糖（10mg/ml）、ペニシリンＧ（100単位/ml）、ストレプトマイシン（100μg/ml）、及びアンフォテリシンB（0.25μg/ml）を加えた培養培地3mlを入れた15-mlの培養瓶内で培養した。培養瓶はインキュベータ（型番号 RKI10-0310、Ikemoto、東京）内で回転させた。ラット胚の ex vivoの成長は２４時間―４８時間の培養期間後に評価し、E12.5及びE13.5のラット胚と比較した。４８時間後、胎児を心拍、全身血液循環、及び全身の形態につき評価した。既述の通りに腎臓原基を単離し、培養した（非特許文献１５）。腎臓原基内のグロボトリアオシルセラミド（Gb3）の蓄積を高めるため、培養した後腎をセラミデトリヘキソシデ（1 nmol、Sigma）の存在下で培養した（非特許文献１６）。後腎のα-ガラクトシダーゼ A（α-gal A）の酵素活性を既述の通りに蛍光分析法で評価した（非特許文献１７）。【００２９】
４）組織学
後腎の二重染色を、第一次抗体としてマウス抗β-gal（Promega社）及びラビット抗ヒトWT-1（Santa Cruz Biotechnology社）を用いて、原則として既述通り（非特許文献１７）に実施した。モノクロナールマウス抗-Gb3抗体（生化学社、東京）も用いた。ジゴキシゲニンUTP-標識c-retリボプローブを用いたホールマウント in situハイブリダイゼーションを既述通り実施した（非特許文献１５）。組織切片のin situハイブリダイゼーションもビオチン標識ヒトゲノムAluI/II プローブ（Invitrogen社）を用いて製造者のプロトコールに従い実施した。既述通り、LacZ遺伝子の発現を評価するためにX-galアッセイを用いた（非特許文献１３）。【００３０】
５）hMSC由来LacZ陽性細胞の同定
リレー培養により生成された後腎を３０分間コラゲナーゼI型（1mg/ml）内で消化し、低張性ショックによる一時的な透過性を用いて、フルオロセイン・ジガラクトシド（Molecular Probes社）で標識した（非特許文献１８）（FACS-Galアッセイ）。LacZ陽性細胞を、セルソータ（BectonDickinson社）を用いて分別した。アクアポリン-1（AQP-1）、副甲状腺ホルモン（PTH）受容体1、1αヒドロキシラーゼ、Na+-HCO3-共輸送体1（NBC1）、ネフリン、ポドシン、糸球体上皮蛋白質1（GLEPP-1）の発現を分析するために、総RNAを抽出しRT-PCRにかけた。細胞の倍数性を分析するために、propidium iodideを用いて細胞を染色し、DNA量をフローサイトメーターを用いて評価した。【００３１】
６）機能的ドナー由来クローン腎臓の作製
大網内での腎臓原基の成長の最適条件を検討するため、ラット後腎組織を成長段階、片腎摘出の有無で分けて移植後の成長程度を評価した。その最適条件に則り、上述で作製した腎臓原基をさらにレシピエントの大網に移植した。２週間後に腎臓の高度に分化した組織所見であるか否かを免疫染色、電子顕微鏡にて確認した。【００３２】
７）レシピエントの血管とクローン腎臓の統合の確認
レシピエントの血行が新生腎臓に注がれていることを確認するため、LacZトランスジェニックラットの大網に移植し、新生腎臓内の血管がレシピエント由来であることを確認した。さらに注入するヒト間葉系幹細胞もLacZ遺伝子導入し、血管とドナー由来ネフロンが統合しているか確認した。【００３３】
８）尿生成能の有無の確認
大網内で成長し、レシピエントの血流が廻っている新生腎臓がレシピエントの血液をろ過し、尿を生成することが可能か検討するために大網内で４週間成長させ、尿管内に溜まった液体中の尿素窒素濃度、クレアチニン濃度を測定し、血清の濃度と比較することにより尿の生成能の有無を確認した。【００３４】
９）統計解析
データは平均±標準偏差で示した。統計解析は、異なる２群のデータを比較するために、２標本t検定を用いて実施した。P<0.05を統計的に有意とみなした。【００３５】
（結果）
Ａ．リレー培養システムを用いた腎臓原基の子宮外成長
全胚培養システムは一定の酸素濃度が回転する培養瓶に連続的に供給できるように最適化し、子宮外で胎児の成長を改善するようにした（非特許文献１４）。本システムを用いて、ラット胚（E11.5）を卵黄嚢、羊膜、絨毛膜尿膜胎盤と共にブドウ糖（10mg/ml）を加えた100％新鮮遠心分離ラット血清培地を入れた培養瓶中で３７℃で培養した。培養２４時間及び４８時間後にラット胚の子宮外成長を、E11.5、E12.0、E12.5、E13.0、E13.5につき子宮内で成長した胚と比較することにより評価した。４８時間後、胎児を心拍、全身の血液循環、一般的な形態につき評価した。得られた体節数、及び一般的な形態に基づき、本法で培養したラット胚の成長年齢は子宮内で成長したE13胚と一致する成長段階に達した（図１-１）。この段階で、尿管芽は伸長し、最初の分岐を完了したが、それは培養中に後腎間葉が刺激を受け、腎形成に向けて第一歩を踏み出したことを示している。しかし、胎児はそれ以上成長することができず、in vitroで胎盤の成長が不十分なため４８時間後直ちに死亡した（非特許文献１９）。この限界を克服するため、全胚培養後に器官培養を行った。４８時間の全胚培養後、後腎を胎児より単離し、６日間器官培養を行った。この組み合わせ（リレー培養）を用いて、腎臓原基はin vitroで分化成長を続け、尿細管形成及び尿管芽分岐を繰り返したことが、ヘマトキシリン／エオジン染色図１-２(b)及びc-retに対するホールマウントin situハイブリダイゼーション図１-２(c)によって確認された。このことにより、後腎は尿管芽が発芽段階に達する前に胎児を子宮から取り出した場合でも、子宮外で腎臓完成まで成長を継続することができることが示された。【００３６】
Ｂ．培養由来の後腎におけるドナー由来細胞の割合及び細胞融合の可能性の評価
Ａ.に記載のシステムを用いてhMSCsをラット胚の腎臓形成部位に注入した。ホスト細胞と区別するために、レトロウイルスを用いてLacZ遺伝子を強制発現させ、またDiIで蛍光標識したhMSCsは、さらにアデノウイルスを用いてGDNFを遺伝子導入するか（図２(b)）、またはせずに（図２(a)）、ラット胚の尿管芽の発芽部位に注入した。次に総数1×103/胎児のhMSCsを、ラットについては体節２９のレベル、マウスについては体節２６のレベルで、体節と外側板との中間にある中胚葉に注入した。これらのレベルを我々は以前のc-retに対するin situハイブリダイゼーションにより尿管芽発芽部位であると推定していた（非特許文献１５）。注入の成功は、ヒト細胞のみを特定するヒトゲノムAluI/IIを検出するin situハイブリダイゼーション法により、注入されたhMSCsがウォルフ管に沿って検出されたことにより確認された。【００３７】
リレー培養後、新しく生成された腎臓原基をコラーゲナーゼで消化し、単一細胞をFAC-Galアッセイしたところ、5.0±4.2％のLacZ陽性細胞が腎臓原基組織内に検出された（図２(a)）。注入部位が１体節を超える長さで変更された場合、分離した後腎中にLacZ陽性細胞は検出されなかった。対照胚において、hMSCsの代わりに標識をつけたマウス線維芽細胞を注入したが、LacZ陽性細胞はほとんど認められなかった。注入したドナー由来細胞率を上げるため、注入前のhMSCsにアデノウイルスAxCAh-GDNFを用いて一過性にGDNFを発現させた（非特許文献１１）。これはGDNFが通常この段階で後腎間葉において発現するようになり、このGDNFとその受容体c-retとの間の相互作用による上皮-間葉シグナルが腎臓形成に必須であるからである（非特許文献１０）。この一過性GDNF発現によって腎臓内のドナー由来LacZ-陽性細胞数が有意に増加したことが（29.8±9.2％、図２(b)）FACS-Galアッセイにより明らかとなった。このLacZ陽性細胞を分別し、そのDNA量を、propidium iodideの強度を用いて評価したところ新しく生成された腎臓原基におけるLacZ-陽性細胞の68.8±11.4％が正倍数体であった（図２(c)）。また LacZ-陽性細胞数は注入した細胞の最初の数（1×103/胚）と比較して有意に増加（2.84±0.49×105/腎臓原基）していたが、これは残りの倍数体細胞はほとんどが細胞分裂を受けていることを示唆している。さらにヒトY染色体及びラットY染色体を用いた蛍光in situ ハイブリダイゼーション法では、Y染色体を二つ以上持つ細胞は全く認められなかった。これらのデータにより、ホスト細胞とドナー細胞が細胞融合する可能性が極めて少ないことが示された。【００３８】
Ｃ．移植hMSCsの腎細胞への分化
リレー培養後に生じた腎臓原基中の移植したhMSCsの動態と形態変化を追跡した。器官培養中に蛍光顕微鏡下にて成長中の腎臓原基を経時的に観察したところ、DiI陽性hMSCsは髄質の方に移動し、腎臓原基の中に分散していく像が確認された。これらの細胞が腎臓の構造に寄与したことを検討するために、腎臓原基をX-galアッセイした。LacZ-陽性細胞は後腎原基の全体に分散しており、糸球体上皮細胞（パネル1）、尿細管上皮細胞（パネル2）、及び間質細胞（パネル3）と形態的に同一であることが示された（図３-１）。さらに腎臓原基の連続切片を光学顕微鏡で検索したところ、糸球体上皮細胞は尿管上皮細胞（矢印）と結合し、これらの細胞の一部は髄質（矢印）の方向に連続的な尿細管の伸長を形成していた（図３-２(b)、gl：糸球体）。この像は移植後hMSCが個々の腎臓細胞に分化するのみでなくネフロン（ろ過再吸収の基本単位）を形成していることを示すものである。さらに糸球体上皮細胞への分化を確認するためβ-gal （左）とWT-1（右）の二重免疫蛍光染色を行った。WT-1はこの段階で糸球体上皮細胞において強く発現することが知られており（非特許文献２０）、両者が同一細胞に陽性であることより（中央）LacZ陽性ドナー細胞の一部は糸球体上皮細胞まで分化を完了していることを示している（図３-２(c)）。【００３９】
リレー培養後に生じた腎臓原基を消化し、単一細胞をFACS-Galアッセイした。LacZ陽性細胞を分別し、RT-PCRを行って、Kir6.1、SUR2、AQP-1、PTH受容体1、1αハイドロキシラーゼ、NBC-1、ネフリン、ポドシン、GLEPP1、ヒト特異的β2ミクログロブリン（MG）、及びラットGAPDHの発現を解析した。レーン1は対照ラットの後腎、レーン2はhMSCs、レーン3-5は異なる３回の実験によって形成された腎臓である。ドナー由来LacZ-陽性細胞が糸球体上皮細胞特異的遺伝子（ネフリン、ポドシン、GLEPP-1）及び尿細管上皮細胞特異的遺伝子（AQP-1、1αヒドロキシラーゼ、PTH受容体1、及びNBC-1）を発現していることが示された（図３-３）。一方内因性腎細胞と対照的に、ATP感受性K+チャンネルサブユニット、Kir6.1/SUR2（非特許文献２１）（hMSCs内で発現される）はリレー培養後に依然として発現していた。【００４０】
Ｄ．分離した後腎におけるhMSCsの注入及び培養
レトロウイルスを用いてLacZ遺伝子を発現したhMSCsにさらにアデノウイルスでGDNFを遺伝子導入し、培養した後腎（E13）に注入した。６日間の器官培養後、得られた後腎をX-galアッセイした（図４(a)）。差込図は高拡大率でLacZ陽性細胞を示す。注入したhMSCs由来細胞は凝集したままで、腎臓の高次元構造を形成していない。さらにこのLacZ陽性細胞を分別した後RNAを抽出し、RT-PCRを行った。器官培養前（レーン2）及び後（レーン3）の新たに生成した腎臓原基を示す。また器官培養前（レーン4）及び後（レーン5）の後腎及びhMSCsの混合物を示す。レーン1は、マーカー（φX174/HaeIII）である。図に示すようにすでに後腎まで分化した培養組織にhMSCsを注入しても腎特異的遺伝子を発現しないことが確認された（図４(b)）。以上の事象により、尿管芽が発芽する前に注入されたhMSCsのみが、器官培養中に腎臓原基に統合され腎特異的遺伝子を発現するように形質転換することが可能であり、その他の条件ではこれらの遺伝子発現能を獲得できないことが示された。つまり上記により、hMSCsは全胚培養中には腎の運命に関与する本質的に重要な最初のステップを完了し、器官培養中にはさらに間質から上皮への移行、または間質生成のための分化を受けることを示している。【００４１】
Ｅ．α-gal A欠損Fabryマウスにおける治療的腎の再生
hMSCs由来ネフロンが機能的であるかどうかを検討するため、hMSCsをα-gal A遺伝子を発現しないノックアウトマウス（Fabryマウス）のE9.5胚中に移植し、リレー培養を行った（非特許文献２２）。このα-gal A欠損はヒトにおいてFabry病として知られ、主として糸球体上皮細胞及び尿細管上皮細胞においてスフィンゴ糖脂質（Gb3）の異常な蓄積をきたし、出生後に腎不全をもたらす。【００４２】
前述の方法で作製したヒト間葉系幹細胞由来腎臓原基のα-gal A酵素生物活性を既述の通りフルオロメターで評価した（非特許文献１９）。対照として、野生型マウス（左）及びFabryマウス（右）の後腎を同じプロトコールで比較したところ、野生型マウス（655.0±199.6 nmol/mg/時間）と比較して、Fabryマウスからの腎臓原基におけるα-gal A生物活性は極めて低いが（19.7±5.5 nmol/mg/時間）、これに比較して注入したヒト間葉系幹細胞由来ネフロンを持つ腎臓原基は有意に高い量のα-gal A生物活性を発現した（204.2±98.8 nmol/mg/時間、p<0.05、図５-１）。【００４３】
得られた腎臓原基のGb3クリアランス能を確認するため、Gb3存在下で器官培養を実施し、後腎におけるGb3の蓄積を野生型マウス（左）及びFabryマウス（右）と比較することにより解析した。Fabryマウスの腎臓原基中の尿管芽及びS字体内（図５-２の右）のGb3の蓄積は、リレー培養により形成されたヒト間葉系幹細胞由来ネフロンと統合することにより著明にクリアランスされることが確認された（図５-２の中央）。この結果は新しく生成されたネフロンが生物学的に機能していることを示すものである。【００４４】
ここまでの発明により、hMSCsを全胚培養で器官の特異的位置において生長させることによって、hMSCsをその臓器の運命に関与させることが可能であることを見出した。GDNFを遺伝子導入したhMSCsを胎児に注入した後にリレー培養を行うことにより、個々の腎臓構成細胞ではなくネフロンの形成が可能となる。これらのhMSC由来細胞は、そのGb3代謝能試験が示す通り機能的である。【００４５】
hMSCsは、それらが入っていく胚環境に依存して、他の運命及び器官構造に再プログラム化することができる。さらにhMSCsを用いることの利点は、それらは始原において中胚葉であるが、通常外胚葉または内胚葉に由来する細胞型に分化していく潜在能力を有している（非特許文献２３）。【００４６】
ホスト免疫系は全胚培養のこの段階では十分には成長しない。従って異種細胞に対して寛容性を有する。本発明は、免疫無防備の異種ホストの内在的な成長系を用いて自己間葉系幹細胞から自己器官を生成する方法の確立である。【００４７】
上述までのシステムは、腎臓原基の最終的な成長のために器官培養を使っているため、形成された腎臓は血管構造を持たない。このため腎臓の基本機能である血液ろ過の機能については確認できないので、さらにシステムの改良を行った。ラット後腎組織は大網内に移植した場合、成長を継続できることが報告されているため（非特許文献２４）、E15胚から後腎組織を単離し、ラットの大網に移植し、２週間後に開腹したところ、移植した後腎は大網内でさらに成長を続けその腎臓には大網から血管系が進入していることが確認された（図６）。この成長は腎不全状態（片腎摘出術後）でも低下せず、逆にさらに加速することが示された（図６）。この成長した腎臓の組織的解析を図７に示した。腎臓の血管内には移植前には認められない赤血球が充満しており、組織学的にも血行が開通していることが示された。さらに大網に移植する前には確認できなった糸球体メサンギウム細胞（デスミン陽性）及び高度に分化した糸球体上皮細胞（WT-1及びシナプトポジン陽性細胞）が確認された。次に移植の最適なタイミングを検討するために、異なるステージの後腎の大網への移植を行った（図８）。図に示すように、E12.5までの未熟な後腎組織を移植してもその後の成長は起こらないが、E13.5以降の後腎組織では腎臓が成長されることが示された。【００４８】
以上の事象を踏まえてリレー培養をさらに改良した。つまりラット胚（E11.5）を、全胚培養(４８時間)し、大網内で成長を継続できる段階まで２４時間器官培養し、これを大網へ移植した（改良型リレー培養）。成長をさらに促すため片腎摘出を行った。２週間後成長した新生腎臓を図９に示した。組織学的検討でも前述と同様に血行が開通し、高度に分化した糸球体構造を維持していることが確認された。【００４９】
この血液が、移植したレシピエントの血管から供給されていることを確認するため、レシピエントの血管がLacZで青く染まるLacZラットの大網に腎臓原基を移植した。肉眼的にも大網の血管が新たに形成された腎臓に入り込んでいることが示され（図１０上図）、組織のLacZ染色により、この腎臓内の血管がレシピエント由来の青い細胞で形成されていることが示された（図１０下図）。電子顕微鏡にても糸球体血管内に赤血球が確認され、さらに高度に分化した糸球体上皮細胞の足突起や内皮細胞、メサンギウム細胞の構築が確認された（図１１）。【００５０】
これらの事象を基に、改良型リレー培養によりヒト間葉系幹細胞由来クローン腎臓からレシピエントの尿が作れるか確認した。ラット（E11.5）胚に、レトロウイルスでLacZ遺伝子導入、アデノウイルスを使ってGDNF遺伝子導入を行ったhMSCsを腎臓形成部位に注入した。２４時間の全胚培養、そして２４時間の器官培養をした。この改良型リレー培養(２週)によってLacZラット大網内で生成した新生腎臓を図１２に示した。腎臓内の血管系のみでなく、尿細管もLacZ陽性となり、注入したヒト間葉系幹細胞由来のネフロンとレシピエント由来の血管が統合したことが示された。【００５１】
さらに大網内で４週間成長させた新生腎臓の形態を図１３に示した。その像はこの腎臓は尿管の開口部がないため作製された尿により水腎症が形成されたものと判断された。そこでこの尿管に貯留した液体を回収し、尿であるか検討したところ、その組成は血清より有意に尿素窒素濃度、クレアチニン濃度が上昇しており、糸球体でろ過された尿であることが示唆された。そこで腎臓が成長し、尿が形成される２週から４週の間にクローン腎臓の尿管をレシピエントの尿管、膀胱、または直腸、皮膚に開口させる処置を行い、尿の出口を形成させることは有効である。図１４に、新規腎臓からの尿様液を示した。【００５２】
実験例２
次に、尿管芽由来の集合管及び尿管への細胞分化のためのhMSCsの移植部位を決定のための実験を以下のようにおこなった。
（材料と方法）
１）ニワトリ胚
城山鶏園（神奈川県津久井郡）から入手したニワトリ有精卵（ヒペコ・ネラ種）を38℃の孵卵器内で34〜35.5時間発生させ、ハンバーガー・ハミルトンのstage9〜11まで成長させた。
２）移植部位の決定
移植部位として、中間中胚葉を選択し、ここに標識物質を導入し、発生に伴う移動を追跡した。hMSCsの移植部位を決定のための標識物質としてDiI（Molecular Probes）を使用した。この色素は親脂質性で細胞膜に取り込まれ、強い蛍光を発する性質を持つため、標識した細胞の系譜を追跡するために有効である。DiIを0.5％（wt/vol）になるように無水エタノールで溶解し、さらに0.3Mショ糖で10倍に希釈して使用した。
標識物質の導入は、卵殻に孔を開けて胚にアプローチし、実体顕微鏡下で各発生段階におけるニワトリ胚の中間中胚葉の当該部位に、ごく少量のDiIをマイクロピペットで周辺の組織を損傷しないように注入した。ニワトリ胚に用いる生理食塩水であるPanett-Compton塩類溶液を胚に適宜かけて乾燥を防止した。
孔をセロテープ（登録商標）で閉じ、十分な湿度を保った38℃の孵卵器内で発生を継続させ、DiIで標識された細胞の移動や尿管芽の形成過程を蛍光実体顕微鏡でタイムラプス観察を行った。
３）結果
ウォルフ管原基とされているstage10（孵卵約35時間）における10番目の体節に隣接する中間中胚葉をDiIで標識した後、約24時間発生を継続させたニワトリ胚を4％パラホルムアルデヒドで固定し、凍結切片を作成して蛍光顕微鏡で観察したところ、ウォルフ管の上皮細胞にDiIが取り込まれていることが確認できた。
DiIで標識するstageや部位を様々に変えてみたところ、7番目から12番目の体節形成時期（およそstage9〜11に相当）において、形成されたばかりの7番目から12番目の体節近傍にある中間中胚葉を標識した場合にも、DiIがウォルフ管に取り込まれることを確認できた。ウォルフ管原基は、過去の報告より、時間的にも空間的にも広範囲であることが明らかとなった。
ウォルフ管原基にDiIが取り込まれたニワトリ胚を、さらに約24時間発生を継続させると、ホールマウントの蛍光実体顕微鏡像では、尿管芽にDiIが取り込まれているように観察された（図15）。図中、Injは標識物質注入部位を、WDはウォルフ管を、UBは尿管芽を意味する。
この結果を受けて実験例１と同様に、選定された時期〔stage10（孵卵約35時間）〕に選定された部位（10番目の体節に隣接する中間中胚葉）にhMSCsを移植し、目的の器官の分化を達成可能である。
【産業上の利用可能性】
【００５３】
本発明は、腎臓移植の新たな展開を可能とし、例えば腎臓疾患により透析を受けているような患者は、自身の間葉系幹細胞を分取し、これを妊娠宿主動物の胎児又は妊娠哺乳動物の宿主から分離した胎児に移植し、臓器の一定成長後に自身に移植すれば、本来の機能を担持した臓器の創生が達成できる。
【図１−１】
2007125916.tif 000002
【図１−２】
2007125916.tif 000003
【図２】
2007125916.tif 000004
【図３−１】
2007125916.tif 000005
【図３−２】
2007125916.tif 000006
【図３−３】
2007125916.tif 000007
【図４】
2007125916.tif 000008
【図５−１】
2007125916.tif 000009
【図５−２】
2007125916.tif 000010
【図６】
2007125916.tif 000011
【図７】
2007125916.tif 000012
【図８】
2007125916.tif 000013
【図９】
2007125916.tif 000014
【図１０】
2007125916.tif 000015
【図１１】
2007125916.tif 000016
【図１２】
2007125916.tif 000017
【図１３】
2007125916.tif 000018
【図１４】
2007125916.tif 000019
【図１５】
2007125916.tif 000020
【国際調査報告】
2007125916.tif 000021
2007125916.tif 000022
2007125916.tif 000023
2007125916.tif 000024